(57)【要約】【課題】箱体の両開きの蓋を閉じた状態で固定するためのものであって、箱体の開梱作業にも用いることができる留め具を提供する。【解決手段】箱体の両開きの蓋を閉じた状態で固定するものであって、受け部と、押さえ部と、連結部を備え、該連結部を介して前記受け部と前記押さえ部が対向しており、前記受け部と前記押さえ部の間の前記連結部を挟んだ両側それぞれの空間が、箱体の蓋を挿入する挿入部となっており、前記受け部、前記押さえ部又は前記連結部に、カッター部を設けてある。【選択図】図１
2019131197.tif 000002
【特許請求の範囲】
【請求項１】
箱体の両開きの蓋を閉じた状態で固定するものであって、
受け部と、押さえ部と、連結部を備え、
該連結部を介して前記受け部と前記押さえ部が対向しており、
前記受け部と前記押さえ部の間の前記連結部を挟んだ両側それぞれの空間が、箱体の蓋を挿入する挿入部となっており、
前記受け部、前記押さえ部又は前記連結部に、カッター部を設けてあることを特徴とする留め具。
【請求項２】
前記受け部は、左右に延びるものであって、その前後の少なくとも一方側に、蓋の表面に当接する蓋当接部を設けてあり、
該蓋当接部は、少なくとも一部が上側に湾曲又は屈曲自在な摘み部となっており、
前記連結部は、棒状のものであって、前記受け部の左右方向中央から下側に延びており、
前記押さえ部は、前記連結部の下端から左右両側に延びていることを特徴とする請求項１記載の留め具。
【請求項３】
前記摘み部は、その根元部の下面が蓋に当接した状態において、先端部が蓋から離隔した指掛部となるものであることを特徴とする請求項２記載の留め具。
【発明の詳細な説明】
【技術分野】
【０００１】
本発明は、箱体の両開きの蓋を閉じた状態で固定するための留め具に関する。
【背景技術】
【０００２】
近年、インターネットショッピングが多く利用されるのに伴い、家庭や職場などにおいて、商品を配送するための段ボール箱が多くたまるようになっており、これを収納などに再利用したいという要望がある。一般に、段ボール箱は上面に両開きの蓋を有しており、この蓋を閉じた状態でテープを貼って固定するものである。よって、このような段ボール箱を収納などに用いると、蓋の開閉のたびにテープを貼りなおさなければならず、不便であった。
【０００３】
そこで、特許文献１及び２に示すような、箱体の蓋の留め具が提案されている。特許文献１の留め具は、背中合わせに設けた挿入部を有し、予め箱体の両開きの蓋の一方を、一方の挿入部に挿入して留め具を取り付けておき、両方の蓋を閉じつつ、他方の蓋を他方の挿入部に挿入して、蓋を固定するものである。また、特許文献２の留め具は、下押えと上押えを備え、箱体の両開きの蓋が半閉じの状態で、蓋の合わせ目に下押えを挿入し、蓋を閉じてから、上押えを持って回転させることで、留め具を蓋に係止させて蓋を固定するものである。
【先行技術文献】
【特許文献】
【０００４】
【特許文献１】特開２００１−３０１７５３号公報
【特許文献２】特開２０１６−４３９６８号公報
【発明の概要】
【発明が解決しようとする課題】
【０００５】
実際に段ボール箱を再利用する流れは、まず、配送された段ボール箱を開梱し、中身を取り出してから、別の物品を収納し、留め具により蓋を閉じた状態で固定する。ここで、開梱の際にはテープをはがす必要があり、一般にハサミやカッターを用いる。よって、従来は上記のような留め具に加えて、これらの道具も必要であった。しかしながら、これらの道具を用いることなく、留め具のみで開梱作業から再び蓋を閉じて固定する再梱包作業までを行うことができれば、より利便性が高い。
【０００６】
本発明は、このような事情を鑑みたものであり、箱体の両開きの蓋を閉じた状態で固定するためのものであって、箱体の開梱作業にも用いることができる留め具を提供することを目的とする。
【課題を解決するための手段】
【０００７】
本発明のうち請求項１の発明は、箱体の両開きの蓋を閉じた状態で固定するものであって、受け部と、押さえ部と、連結部を備え、該連結部を介して前記受け部と前記押さえ部が対向しており、前記受け部と前記押さえ部の間の前記連結部を挟んだ両側それぞれの空間が、箱体の蓋を挿入する挿入部となっており、前記受け部、前記押さえ部又は前記連結部に、カッター部を設けてあることを特徴とする。なお、カッター部は、箱体の蓋を閉じてあるテープを切断できる程度に鋭利なものであればよい。
【０００８】
本発明のうち請求項２の発明は、前記受け部は、左右に延びるものであって、その前後の少なくとも一方側に、蓋の表面に当接する蓋当接部を設けてあり、該蓋当接部は、少なくとも一部が上側に湾曲又は屈曲自在な摘み部となっており、前記連結部は、棒状のものであって、前記受け部の左右方向中央から下側に延びており、前記押さえ部は、前記連結部の下端から左右両側に延びていることを特徴とする。なお、摘み部が上側に湾曲又は屈曲自在であるとは、摘み部自体が柔軟な素材からなり湾曲自在なもの、摘み部とその他の部位の接合部が折り目やヒンジになっていてその部分で屈曲自在なものなど、摘み部をめくり上げることが可能な種々の構成を含む。また、上記において、前後左右上下の方向が示されているが、これは部材同士の関係を示すために便宜的に定義したものであり、使用状態の向きを限定するものではない。
【０００９】
本発明のうち請求項３の発明は、前記摘み部は、その根元部の下面が蓋に当接した状態において、先端部が蓋から離隔した指掛部となるものであることを特徴とする。なお、摘み部の根元部とは、その他の部位と接合している部分であり、摘み部の先端部とは、根元部の反対側の部分であって湾曲又は屈曲して移動する部分である。
【発明の効果】
【００１０】
本発明のうち請求項１の発明によれば、連結部の両側の挿入部に、箱体の両開きの蓋をそれぞれ挿入することで、蓋を閉じた状態で固定することができる。そして、受け部、押さえ部又は連結部に設けたカッター部により、テープを切断して箱体を開梱することもできるので、開梱作業から再梱包作業までその他の道具を必要とせず、利便性が高い。
【００１１】
本発明のうち請求項２の発明によれば、連結部が棒状であるから、押さえ部を箱体の両開きの蓋の隙間に挿入してから回転させることで、受け部と押さえ部の間の挿入部に蓋が挿入され、蓋を閉じた状態で固定できるが、この際、受け部に設けた蓋当接部の摘み部が上側に湾曲又は屈曲自在なので、この摘み部をめくり上げることで、指で摘みやすくなり、留め具を容易に回転させられる。
【００１２】
本発明のうち請求項３の発明によれば、摘み部の根元部の下面が蓋に当接した状態、すなわち、押さえ部を箱体の両開きの蓋の隙間に挿入した状態において、先端部が蓋から離隔した指掛部となるので、指掛部に指を掛けることで、摘み部を容易にめくり上げることができる。
【図面の簡単な説明】
【００１３】
【図１】留め具の第一実施形態の三面図であり、（ａ）は平面図、（ｂ）は側面図、（ｃ）は正面図である。
【図２】第一実施形態の挿入部に蓋を挿入した状態を示す正面図である。
【図３】第一実施形態のカッター部の拡大図であり、（ａ）は平面図、（ｂ）はＡ−Ａ線断面図である。
【図４】第一実施形態のカッター部を使用する場合を示し、（ａ）は全体図、（ｂ）は拡大図である。
【図５】（ａ）〜（ｄ）は、第一実施形態により蓋を固定する手順を示す。
【図６】第一実施形態により蓋を閉じた状態で固定された箱体の斜視図である。
【図７】留め具の第二実施形態のカッター部の拡大図であり、（ａ）は平面図、（ｂ）はＢ−Ｂ線断面図である。
【図８】留め具の第三実施形態を示し、（ａ）は平面図、（ｂ）は側面図、（ｃ）は使用時におけるＣ−Ｃ線断面図である。
【図９】留め具の第四実施形態を示し、（ａ）は平面図、（ｂ）は側面図、（ｃ）は使用時におけるＤ−Ｄ線断面図である。
【図１０】留め具の第五実施形態を示し、（ａ）は平面図、（ｂ）は側面図、（ｃ）は使用時におけるＥ−Ｅ線断面図である。
【図１１】留め具の第六実施形態を示し、（ａ）は平面図、（ｂ）は側面図、（ｃ）は使用時におけるＦ−Ｆ線断面図である。
【発明を実施するための形態】
【００１４】
以下、本発明の留め具の具体的な内容について説明する。この留め具は、種々の両開きの蓋を備える箱体を対象として、蓋を閉じた状態で固定するものであるが、ここでは段ボール箱を対象とするものを例に挙げる。なお、以下において、左右方向は後記の受け部１が延びる方向であり、前後方向は左右方向に直交する方向である。図１に示すように、この留め具の第一実施形態は、受け部１と、押さえ部２と、連結部３と、挿入部４と、カッター部５と、蓋当接部６と、摘み部７を備える。
【００１５】
受け部１は、長さ５ｃｍ程度で断面正方形の棒状のものであって、左右方向に水平向きに延びている。また、受け部１の左右方向中央の下面には、断面円形の棒状のものであって下側に延びる連結部３を形成してある。さらに、連結部３の下端には、断面円形の棒状のものであって左右両側に延びる押さえ部２が形成してあり、すなわち連結部３を介して受け部１と押さえ部２が対向している。押さえ部２は、連結部３を中心軸として左右対称形状であり、連結部３の下端から斜め上向きに延び、途中で屈曲して斜め下向きに延びるくの字形のものである。ここで、屈曲している部分を屈曲点２１、屈曲点２１より内側の、外周側に向けて斜め上向きに延びる部分を内側部２２、屈曲点２１より外側の、外周側に向けて斜め下向きに延びる部分を外側部２３とする。内側部２２と外側部２３の左右長さは略同じであり、外側部２３の先端の左右位置は、受け部１の先端の左右位置と略同じである。
【００１６】
そして、受け部１と押さえ部２の間の、連結部３を挟んだ左右両側のそれぞれの空間が、箱体の蓋を挿入する挿入部４となっている。挿入部４は、その上下幅が押さえ部２の屈曲点２１の位置において最も狭く、屈曲点２１の位置から開口側及び奥側へ向けてそれぞれ拡幅する形状となっていて、屈曲点２１の位置における上下幅ｈ１は、対象となる箱体の蓋の厚さよりも狭く、開口端部における上下幅ｈ２及び最奥部における上下幅ｈ３は、対象となる箱体の蓋の厚さよりも広くなっている。これらの受け部１、連結部３及び押さえ部２は、硬質の樹脂からなるものであって、一体に成形されている。そして、図２に示すように、挿入部４に箱体の蓋Ｌを挿入すると、屈曲点２１の位置における上下幅ｈ１が蓋Ｌの厚さよりも狭いので、蓋Ｌが内側部２２を弾性変形させて挿入部４を押し広げることになる。よって、内側部２２の弾性により、押さえ部２が、挿入部４に挿入された蓋Ｌを受け部１に押さえつける。このようにして、左右両側の挿入部４に、箱体の両開きの蓋Ｌが閉じた状態でそれぞれ挿入されることにより、蓋Ｌがその状態で固定されるものである。
【００１７】
また、図１に示すように、受け部１の左右方向両端部には、カッター部５を設けてある。図３に示すように、カッター部５は、平面視して半円形状で、正面視して三角形状でかつ外周側に向けて先鋭形状である。このカッター部５も硬質の樹脂からなるものであり、受け部１と一体に成形されている。正面視して先鋭形状なので、箱体の蓋を閉じてあるテープを切断できる程度に鋭利であるが、樹脂製で平面視して半円形状なので、指などで触れても怪我をすることはなく、安全である。
【００１８】
さらに、受け部１は、前側面及び後側面に、蓋当接部６を設けてある。蓋当接部６は、平板状のものであって、受け部１を中心として前後両側に水平向きに延びている。１つの蓋当接部６は、平面視して半円形状であって、その直径が受け部１に沿っており、受け部１と前後両側の蓋当接部６とで、平面視して略円形となっている。そして、蓋当接部６は、人の力で上下に湾曲自在な軟質の樹脂からなるものであって、二色成形によって受け部１と一体に成形されている。よって、第一実施形態においては、蓋当接部６の全体が摘み部７に相当する。
【００１９】
次に、留め具の使用方法について説明する。この留め具１０は、箱体Ｂの開梱作業から再梱包作業にまで用いることができるものであり、まず開梱作業について示す。開梱作業は、図４（ａ）に示すように、上面に両開きの蓋Ｌを有し、この蓋ＬがテープＴで閉じられた箱体Ｂを対象とする。この箱体Ｂに対し、留め具１０のカッター部５によって、テープＴを切断するものであるが、その際、図４（ｂ）に示すように、テープＴの、蓋Ｌの合わせ目の隙間Ｃ上の部分に、カッター部５の先端を押し付け、合わせ目に沿って動かすことで、テープＴが切断され、蓋Ｌを開くことができる。この際、カッター部５が棒状の受け部１の端部に設けてあるので、受け部１を持つことで、一般的な形状のカッターと同様の感覚で用いることができる。
【００２０】
続いて、再梱包作業について示す。再梱包作業は、開梱した箱体Ｂに別の物品を収納したものを対象とする。なお、図５に示す例では、開梱作業時に切断したテープをはがしてあるが、テープが残っていてもよい。まず、物品を収納して両開きの蓋Ｌを閉じた後、図５（ａ）、（ｂ）に示すように、留め具１０の押さえ部２を、両方の蓋Ｌの合わせ目の隙間Ｃに上側から挿入し、摘み部７（蓋当接部６）の下面を蓋Ｌの上面に当接させる。この際、受け部１が合わせ目と平行な向きとなるようにすることで、押さえ部２も合わせ目に沿った向きとなり、棒状の押さえ部２を合わせ目の狭い隙間Ｃに挿入できる。次に、図５（ｂ）、（ｃ）に示すように、両側の摘み部７をめくり上げ、両摘み部７の先端同士を重なり合わせるようにして、指Ｆで摘む。そして、この状態から摘み部７をひねり、留め具１０を垂直軸周りに９０度回転させる。すると、図５（ｄ）に示すように、受け部１と押さえ部２の回転に伴って、両側の挿入部４にそれぞれ蓋Ｌが挿入される。この際、挿入部４が開口側に向けて拡幅した形状で、開口端部の上下幅が蓋Ｌの厚さより広いので、押さえ部２に対して蓋Ｌの端部が引っ掛かることはなく、蓋Ｌはスムーズに挿入部４に挿入される。そして、押さえ部２の屈曲点２１において、蓋Ｌが内側部２２を弾性変形させて挿入部４を押し広げ、内側部２２の弾性により、押さえ部２が、挿入部４に挿入された蓋Ｌを受け部１に押さえつける。めくり上げた摘み部７は、指を離せば元通り平板状となって蓋Ｌの上面に当接する。このようにして、箱体Ｂの大きさに応じて適宜１個又は複数個の留め具１０を取り付け、再梱包作業が完了する。図６に示すのは、再梱包作業が完了した状態の箱体Ｂであり、２個の留め具１０を取り付けた場合である。
【００２１】
このように構成した本発明の留め具の第一実施形態によれば、連結部３の両側の挿入部４に、箱体Ｂの両開きの蓋Ｌをそれぞれ挿入することで、蓋Ｌを閉じた状態で固定することができる。そして、受け部１に設けたカッター部５により、テープＴを切断して箱体Ｂを開梱することもできるので、開梱作業から再梱包作業までその他の道具を必要とせず、利便性が高い。また、カッター部５を棒状の受け部１の端部に設けてあり、一般的な形状のカッターと同様の感覚で用いることができるので、より開梱作業が行いやすい。
【００２２】
なお、特許文献１の留め具においては、予め一方の蓋に取り付けた留め具の挿入部に、両方の蓋を閉じつつ他方の蓋を挿入する工程が困難な場合があった。また、特許文献２の留め具においては、上押えが平板状のものなので、これを持って回転させる工程が困難な場合があった。これに対し、本発明の留め具は、より容易に箱体の両開きの蓋を閉じた状態で固定できるものである。すなわち、連結部３が断面円形の棒状であるから、押さえ部２を箱体Ｂの両開きの蓋Ｌの隙間Ｃに挿入してから回転させることで、受け部１と押さえ部２の間の挿入部４に蓋Ｌが挿入され、蓋Ｌを閉じた状態で固定できるが、この際、受け部１に設けた摘み部７が湾曲自在なので、両側の摘み部７をめくり上げ、両摘み部７の先端同士を重なり合わせることで、指で摘みやすくなり、留め具を容易に回転させられる。
【００２３】
また、押さえ部２が棒状のものなので、箱体Ｂの両開きの蓋Ｌを閉じた状態で、両方の蓋Ｌの間に多少でも隙間Ｃがあれば挿入できる。よって、蓋Ｌを閉じてから留め具を取り付けることができるので、作業が容易である。なお、箱体Ｂの両開きの蓋Ｌを閉じた状態で、両方の蓋Ｌの端部が密接して隙間がない場合には、蓋Ｌを半閉じの状態として、両方の蓋Ｌの間の隙間に押さえ部２を挿入してから、蓋Ｌを完全に閉じればよい。さらに、箱体Ｂに留め具を取り付けた状態では、摘み部７（蓋当接部６）は平板状となり、厚さは薄いので、箱体Ｂを積み重ねる際の妨げになることはない。
【００２４】
次に、本発明の留め具の第二実施形態について、第一実施形態との相違点に絞って説明する。第二実施形態は、第一実施形態と比較して、カッター部５の形状が異なっている。第二実施形態のカッター部５は、受け部１の左右方向両端部に設けてあって、図７に示すように、平面視して受け部１の左右方向中心に向けて凹な半円形状で、正面視した縦断面が三角形状でかつ外周側に向けて先鋭形状である。このカッター部５は硬質の樹脂からなるものであり、受け部１と一体に成形されている。
【００２５】
このように形成した第二実施形態のカッター部５は、前後の先端が尖った刃先部５１となっているので、この刃先部５１をテープに押し付けることで切断できるが、前後の摘み部７（蓋当接部６）よりも外周側に突出していないので、指などで直接触れることはなく、安全である。そして留め具の第二実施形態は、その他において第一実施形態と同様の作用効果を奏するものである。
【００２６】
次に、本発明の留め具の第三実施形態について、第一実施形態との相違点に絞って説明する。第三実施形態は、第一実施形態と比較して、蓋当接部６（摘み部７）の形状が異なっている。図８に示すように、第三実施形態の蓋当接部６は、平板状のものであって、受け部１を中心として前後両側に水平向きに延びている。１つの蓋当接部６は、平面視して略半円形状であって、その直径が受け部１に沿っており、受け部１と前後両側の蓋当接部６とで、平面視して略円形となっている。そして、蓋当接部６は、人の力で上下に湾曲自在な軟質の樹脂からなるものであって、二色成形によって受け部１と一体に成形されている。よって、第三実施形態においては、蓋当接部６の全体が摘み部７に相当する。そして、摘み部７の前後方向両端部、すなわち、受け部１と接合する根元部７１の反対側の先端部７２が、斜め上向きに屈曲している。屈曲部分の範囲は、摘み部７の前後幅の略１／４であり、水平方向に対して略４５度傾斜した向きとなっている。よって、図８（ｃ）に示すように、留め具１０の押さえ部２を両方の蓋Ｌの合わせ目の隙間Ｃに上側から挿入すると、摘み部７の根元部７１の下面が蓋Ｌの上面に当接した状態において、先端部７２が蓋Ｌの上面から離隔し、この先端部７２が指掛部８となる。
【００２７】
この第三実施形態によれば、押さえ部２を両方の蓋Ｌの合わせ目の隙間Ｃに挿入してから、指掛部８に指を掛けることで、摘み部７を容易にめくり上げることができ、摘み部７を摘んで留め具１０を回転させる動作がやりやすい。そして留め具の第三実施形態は、その他において第一実施形態と同様の作用効果を奏するものである。なお、摘み部７は軟質の樹脂からなるので、この留め具１０を取り付けた箱体の上に別の箱体を積み重ねると、斜め上向きに屈曲した先端部７２（指掛部８）は上の箱体に押しつぶされて、摘み部７全体が平板状となる。よって、箱体を積み重ねる際の妨げになることはない。
【００２８】
次に、本発明の留め具の第四実施形態について、第一実施形態との相違点に絞って説明する。第四実施形態は、第一実施形態と比較して、蓋当接部６（摘み部７）の形状が異なっている。図９に示すように、第四実施形態の蓋当接部６は、平板状のものであって、受け部１を中心として前後両側に水平向きに延びている。１つの蓋当接部６は、平面視して略半円形状であって、その直径が受け部１に沿っており、受け部１と前後両側の蓋当接部６とで、平面視して略円形となっている。そして、蓋当接部６は、人の力で上下に湾曲自在な軟質の樹脂からなるものであって、二色成形によって受け部１と一体に成形されている。よって、第四実施形態においては、蓋当接部６の全体が摘み部７に相当する。そして、摘み部７の前後方向両端部、すなわち、受け部１と接合する根元部７１の反対側の先端部７２が、ドーム状に盛り上がっている。より詳しくは、摘み部７の最先端点（前後両端点）を中心とする略半円形状の領域が、最先端点を中心とする球殻状をなして上側に盛り上がっており、このドーム状部分の前後幅は、摘み部７の前後幅の略１／４である。よって、図９（ｃ）に示すように、留め具１０の押さえ部２を両方の蓋Ｌの合わせ目の隙間Ｃに上側から挿入すると、摘み部７の根元部７１の下面が蓋Ｌの上面に当接した状態において、先端部７２が蓋Ｌの上面から離隔し、この先端部７２が指掛部８となる。
【００２９】
この第四実施形態によれば、押さえ部２を両方の蓋Ｌの合わせ目の隙間Ｃに挿入してから、指掛部８に指を掛けることで、摘み部７を容易にめくり上げることができ、摘み部７を摘んで留め具１０を回転させる動作がやりやすい。そして留め具の第四実施形態は、その他において第一実施形態と同様の作用効果を奏するものである。なお、摘み部７は軟質の樹脂からなるので、この留め具１０を取り付けた箱体の上に別の箱体を積み重ねると、ドーム状に盛り上がった先端部７２（指掛部８）は上の箱体に押しつぶされて、摘み部７全体が平板状となる。よって、箱体を積み重ねる際の妨げになることはない。
【００３０】
次に、本発明の留め具の第五実施形態について、第一実施形態との相違点に絞って説明する。第五実施形態は、第一実施形態と比較して、蓋当接部６（摘み部７）の形状が異なっている。図１０に示すように、第五実施形態の蓋当接部６は、平板状のものであって、受け部１を中心として前後両側に湾曲しつつ延びている。１つの蓋当接部６は、平面視して略半円形状であって、その直径が受け部１に沿っており、受け部１と前後両側の蓋当接部６とで、平面視して略円形となっている。そして、蓋当接部６は、人の力で上下に湾曲自在な軟質の樹脂からなるものであって、二色成形によって受け部１と一体に成形されている。よって、第五実施形態においては、蓋当接部６の全体が摘み部７に相当する。そして、摘み部７の湾曲形状をより詳しく説明すると、受け部１と接合する根元部７１が水平方向に延び、続いて中間部７３が下側に凸となるように円弧状に湾曲し、さらに続いて先端部７２が根元部７１と略同じ高さで水平方向に延びている。湾曲した中間部７３の前後幅は、摘み部７の前後幅の略１／２である。このように形成した第五実施形態の留め具１０について、その押さえ部２を両方の蓋Ｌの合わせ目の隙間Ｃに上側から挿入すると、まず下側に湾曲した中間部７３の下面が蓋Ｌの上面に当接し、さらに根元部７１の下面が蓋Ｌの上面に当接するまで挿入すると、摘み部７は中間部７３を支点として根元部７１が下降するにつれて先端部７２が上昇するように変形する。よって、図１０（ｃ）に示すように、摘み部７の根元部７１の下面が蓋Ｌの上面に当接した状態において、先端部７２が蓋Ｌの上面から離隔し、この先端部７２が指掛部８となる。
【００３１】
この第五実施形態によれば、押さえ部２を両方の蓋Ｌの合わせ目の隙間Ｃに挿入してから、指掛部８に指を掛けることで、摘み部７を容易にめくり上げることができ、摘み部７を摘んで留め具１０を回転させる動作がやりやすい。そして留め具の第五実施形態は、その他において第一実施形態と同様の作用効果を奏するものである。なお、摘み部７は軟質の樹脂からなるので、この留め具１０を取り付けた箱体の上に別の箱体を積み重ねると、蓋Ｌの上面から離隔した先端部７２（指掛部８）は上の箱体に押しつぶされて、摘み部７全体が平板状となる。よって、箱体を積み重ねる際の妨げになることはない。
【００３２】
次に、本発明の留め具の第六実施形態について、第一実施形態との相違点に絞って説明する。第六実施形態は、第一実施形態と比較して、蓋当接部６（摘み部７）の形状が異なっている。図１１に示すように、第六実施形態の蓋当接部６は、平板状のものであって、受け部１を中心として前後両側に水平向きに延びている。１つの蓋当接部６は、平面視して略半円形状であって、その直径が受け部１に沿っており、受け部１と前後両側の蓋当接部６とで、平面視して略円形となっている。そして、蓋当接部６は、その外周と同心で直径が略１／２の略半円形状の内側部分と、それを取り囲む外側部分に分割されている。内側部分は、人の力で上下に湾曲自在な軟質の樹脂からなるものであって、二色成形によって受け部１と一体に成形されている。一方、外側部分は、受け部１と同じ硬質の樹脂からなり、受け部１と一体に成形されている。よって、第六実施形態においては、蓋当接部６の一部である内側部分が摘み部７に相当する。また、外側部分は受け部１に対して固定された固定部９とする。そして、摘み部７の前後方向両端部、すなわち、受け部１と接合する根元部７１の反対側の先端部７２が、斜め上向きに屈曲している。屈曲部分の範囲は、摘み部７の前後幅の略１／４であり、水平方向に対して略４５度傾斜した向きとなっている。よって、図１１（ｃ）に示すように、留め具１０の押さえ部２を両方の蓋Ｌの合わせ目の隙間Ｃに上側から挿入すると、摘み部７の根元部７１の下面が蓋Ｌの上面に当接した状態において、先端部７２が蓋Ｌの上面から離隔し、この先端部７２が指掛部８となる。
【００３３】
この第六実施形態によれば、押さえ部２を両方の蓋Ｌの合わせ目の隙間Ｃに挿入してから、指掛部８に指を掛けることで、摘み部７を容易にめくり上げることができ、摘み部７を摘んで留め具１０を回転させる動作がやりやすい。そして留め具の第六実施形態は、その他において第一実施形態と同様の作用効果を奏するものである。なお、摘み部７は軟質の樹脂からなるので、この留め具１０を取り付けた箱体の上に別の箱体を積み重ねると、斜め上向きに屈曲した先端部７２（指掛部８）は上の箱体に押しつぶされて、摘み部７全体が平板状となる。よって、箱体を積み重ねる際の妨げになることはない。
【００３４】
本発明は、前記の実施形態に限定されない。たとえば、カッター部は、テープを切断できる程度に鋭利なものであれば、どのような形状であってもよいが、指などで触れても安全なものが望ましい。また、受け部の一端にのみ設けたものであってもよいし、両端に設けた上で、一方をノコギリ状にするなど、形状を異ならせてもよい。さらに、カッター部を押さえ部や連結部に設けてもよい。また、受け部と蓋当接部を別に成形して接着剤により接合してもよいし、受け部と蓋当接部に対応する嵌合構造を形成して嵌合により接合してもよい。さらに、摘み部は、左右方向に延びる受け部に対して前後方向からめくり上げるものに限られず、左右方向やその他の方向からめくり上げるものであってもよい。また、蓋当接部の一部を摘み部とする場合には、蓋当接部のどの部分を摘み部としてもよい。さらに、摘み部は、摘み部と受け部の接合部が折り目やヒンジになっていてその部分で屈曲自在なものでもよい。そしてこの場合、摘み部が硬質の素材からなるものであってもよい。また、この場合の摘み部を含めた各部の素材は、樹脂ではなく金属であってもよい。さらに、指掛部は、摘み部の先端部を肉厚に形成したものであってもよい。また、この留め具の対象となる箱体は、上面に両開きの蓋を有するものに限られず、側面に蓋を有するものであってもよい。この場合、蓋当接部が垂直向きとなる状態で留め具が取り付けられる。
【符号の説明】
【００３５】
１  受け部
２  押さえ部
３  連結部
４  挿入部
５  カッター部
６  蓋当接部
７  摘み部
８  指掛部
【図１】
2019131197.tif 000003
【図２】
2019131197.tif 000004
【図３】
2019131197.tif 000005
【図４】
2019131197.tif 000006
【図５】
2019131197.tif 000007
【図６】
2019131197.tif 000008
【図７】
2019131197.tif 000009
【図８】
2019131197.tif 000010
【図９】
2019131197.tif 000011
【図１０】
2019131197.tif 000012
【図１１】
2019131197.tif 000013
【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
箱体の両開きの蓋を閉じた状態で固定するものであって、
受け部と、押さえ部と、連結部を備え、
該連結部を介して前記受け部と前記押さえ部が対向しており、
前記受け部と前記押さえ部の間の前記連結部を挟んだ両側それぞれの空間が、箱体の蓋を挿入する挿入部となっており、
前記受け部、前記押さえ部又は前記連結部に、カッター部を設けてあることを特徴とする留め具。
【請求項２】
前記受け部は、左右に延びるものであって、その前後の少なくとも一方側に、蓋の表面に当接する蓋当接部を設けてあり、
該蓋当接部は、少なくとも一部が上側に湾曲又は屈曲自在な摘み部となっており、
前記連結部は、棒状のものであって、前記受け部の左右方向中央から下側に延びており、
前記押さえ部は、閉じた状態の両方の蓋の合わせ目の隙間から挿入可能な上面視して棒状のものであって、前記連結部の下端から左右両側に延びていることを特徴とする請求項１記載の留め具。
【請求項３】
前記摘み部は、その根元部の下面が蓋に当接した状態において、先端部が蓋から常に離隔した指掛部となるものであることを特徴とする請求項２記載の留め具。
【手続補正２】
【補正対象書類名】明細書
【補正対象項目名】０００８
【補正方法】変更
【補正の内容】
【０００８】
本発明のうち請求項２の発明は、前記受け部は、左右に延びるものであって、その前後の少なくとも一方側に、蓋の表面に当接する蓋当接部を設けてあり、該蓋当接部は、少なくとも一部が上側に湾曲又は屈曲自在な摘み部となっており、前記連結部は、棒状のものであって、前記受け部の左右方向中央から下側に延びており、前記押さえ部は、閉じた状態の両方の蓋の合わせ目の隙間から挿入可能な上面視して棒状のものであって、前記連結部の下端から左右両側に延びていることを特徴とする。なお、摘み部が上側に湾曲又は屈曲自在であるとは、摘み部自体が柔軟な素材からなり湾曲自在なもの、摘み部とその他の部位の接合部が折り目やヒンジになっていてその部分で屈曲自在なものなど、摘み部をめくり上げることが可能な種々の構成を含む。また、上記において、前後左右上下の方向が示されているが、これは部材同士の関係を示すために便宜的に定義したものであり、使用状態の向きを限定するものではない。
【手続補正３】
【補正対象書類名】明細書
【補正対象項目名】０００９
【補正方法】変更
【補正の内容】
【０００９】
本発明のうち請求項３の発明は、前記摘み部は、その根元部の下面が蓋に当接した状態において、先端部が蓋から常に離隔した指掛部となるものであることを特徴とする。なお、摘み部の根元部とは、その他の部位と接合している部分であり、摘み部の先端部とは、根元部の反対側の部分であって湾曲又は屈曲して移動する部分である。